【手続補正書】
【提出日】平成28年4月22日(2016.4.22)
【手続補正１】
【補正対象書類名】明細書
【補正対象項目名】００４３
【補正方法】変更
【補正の内容】
【００４３】
本発明を例示的な実施形態を参照しながら具体的に図示・説明したが、当業者であれば、添付の特許請求の範囲に包含される本発明の範囲から逸脱することなく、形態および細部の詳細な変更が可能であることを理解するであろう。
なお、本発明は、実施の態様として以下の内容を含む。
［態様１］
ヘッドセットコンピュータにユーザインターフェースを提供する過程と、
ユーザのキュー・トグルコマンドの発話に応答して、少なくとも１つのキューを前記ユーザインターフェースに表示する過程であって、各キューは、実行すべきコードが関連付けられた音声コマンドにそれぞれ対応する、過程と、
ユーザの前記音声コマンドの発話に応答して、当該音声コマンドに関連付けられた前記コードを実行する過程と、
を含む、方法。
［態様２］
態様１に記載の方法において、さらに、
前記キュー・トグルコマンドの前および次のキュー・トグルコマンドの後のうちの少なくとも一方において、前記インターフェースを前記キューなしで表示する過程、
を含む、方法。
［態様３］
態様１に記載の方法において、前記キューを表示する過程が、前記音声コマンドをアクティベートする語を表示することを含む、方法。
［態様４］
態様１に記載の方法において、前記キューを表示する過程が、前記ユーザインターフェースに表示されているコントロールに関連付けられた前記音声コマンドに対応する前記キューを、当該ユーザインターフェースに表示することを含む、方法。
［態様５］
態様１に記載の方法において、前記キューを表示する過程が、前記ユーザインターフェースから隠れているコントロールに関連付けられた前記音声コマンドに対応する前記キューを、当該ユーザインターフェースに表示することを含む、方法。
［態様６］
態様１に記載の方法において、前記キューを表示する過程が、グローバルなヘッドセットのコントロールに関連付けられた前記音声コマンドに対応する前記キューを、前記ユーザインターフェースに表示することを含む、方法。
［態様７］
態様１に記載の方法において、前記キューが、当該キューと前記音声コマンドとを示すコントロールからロードされる、方法。
［態様８］
ヘッドセットコンピュータにユーザインターフェースを表示するシステムであって、
ヘッドセットコンピュータにユーザインターフェースを提供し、さらに、ユーザのキュー・トグルコマンドの発話に応答して、少なくとも１つのキューを前記ユーザインターフェースに表示する表示手段であって、各キューは、実行すべきコードが関連付けられた音声コマンドにそれぞれ対応する、表示手段と、
ユーザの前記音声コマンドの発話に応答して、当該音声コマンドに関連付けられた前記コードを実行するコマンド手段と、
を備える、システム。
［態様９］
態様８に記載のシステムにおいて、前記表示手段が、さらに、前記キュー・トグルコマンドの前および次のキュー・トグルコマンドの後のうちの少なくとも一方において、前記インターフェースを前記キューなしで表示する、システム。
［態様１０］
態様８に記載のシステムにおいて、前記表示手段が、さらに、前記音声コマンドをアクティベートする語を表示する、システム。
［態様１１］
態様８に記載のシステムにおいて、前記表示手段が、さらに、前記ユーザインターフェースに表示されているコントロールに関連付けられた音声コマンドに対応するキューを、当該ユーザインターフェースに表示する、システム。
［態様１２］
態様８に記載のシステムにおいて、前記表示手段が、さらに、前記ユーザインターフェースから隠れているコントロールに関連付けられた前記音声コマンドに対応する前記キューを、当該ユーザインターフェースに表示する、システム。
［態様１３］
態様８に記載のシステムにおいて、前記表示手段が、さらに、グローバルなヘッドセットのコントロールに関連付けられた前記音声コマンドに対応する前記キューを、前記ユーザインターフェースに表示する、システム。
［態様１４］
態様８に記載のシステムにおいて、前記キューが、当該キューと前記音声コマンドとを示すコントロールからロードされる、システム。
［態様１５］
ヘッドセットコンピュータにユーザインターフェースを展開する方法であって、
前記ユーザインターフェース用のコントロールに、キューおよび音声コマンドを埋め込む過程と、
前記コントロールを前記ユーザインターフェースに提供する過程であって、当該ユーザインターフェースは、キュー・トグルコマンドに応答した前記キューを表示する過程と、
を含む、方法。
［態様１６］
態様１５に記載の方法において、前記キューが、前記音声コマンドをアクティベートする語を含む、方法。
［態様１７］
態様１５に記載の方法において、前記キューが、前記ユーザインターフェースに表示されているコントロールに関連付けられた前記音声コマンドに対応する、方法。
［態様１８］
態様１５に記載の方法において、前記キューが、前記ユーザインターフェースから隠れているコントロールに関連付けられた前記音声コマンドに対応する、方法。
［態様１９］
態様１５に記載の方法において、前記キューが、グローバルなヘッドセットのコントロールに関連付けられた前記音声コマンドに対応する、方法。
［態様２０］
態様１５に記載の方法において、前記キューが、当該キューと前記音声コマンドとを示すコントロールからロードされる、方法。
【手続補正２】
【補正対象書類名】特許請求の範囲
【補正対象項目名】全文
【補正方法】変更
【補正の内容】
【特許請求の範囲】
【請求項１】
ヘッドセットコンピュータにユーザインターフェースを提供する過程と、
ユーザのキュー・トグルコマンドの発話に応答して、少なくとも１つのキューを前記ユーザインターフェースに表示する過程であって、各キューは、実行すべきコードが関連付けられた音声コマンドにそれぞれ対応する、過程と、
ユーザの前記音声コマンドの発話に応答して、当該音声コマンドに関連付けられた前記コードを実行する過程と、
を含む、方法。
【請求項２】
請求項１に記載の方法において、さらに、
前記キュー・トグルコマンドの前および次のキュー・トグルコマンドの後のうちの少なくとも一方において、前記インターフェースを前記キューなしで表示する過程、
を含む、方法。
【請求項３】
請求項１に記載の方法において、前記キューを表示する過程が、前記音声コマンドをアクティベートする語を表示することを含む、方法。
【請求項４】
請求項１に記載の方法において、前記キューを表示する過程が、前記ユーザインターフェースに表示されているコントロールに関連付けられた前記音声コマンドに対応する前記キューを、当該ユーザインターフェースに表示することを含む、方法。
【請求項５】
請求項１に記載の方法において、前記キューを表示する過程が、前記ユーザインターフェースから隠れているコントロールに関連付けられた前記音声コマンドに対応する前記キューを、当該ユーザインターフェースに表示することを含む、方法。
【請求項６】
請求項１に記載の方法において、前記キューを表示する過程が、グローバルなヘッドセットのコントロールに関連付けられた前記音声コマンドに対応する前記キューを、前記ユーザインターフェースに表示することを含む、方法。
【請求項７】
請求項１に記載の方法において、前記キューが、当該キューと前記音声コマンドとを示すコントロールからロードされる、方法。
【請求項８】
ヘッドセットコンピュータにユーザインターフェースを表示するシステムであって、
ヘッドセットコンピュータにユーザインターフェースを提供し、さらに、ユーザのキュー・トグルコマンドの発話に応答して、少なくとも１つのキューを前記ユーザインターフェースに表示する表示手段であって、各キューは、実行すべきコードが関連付けられた音声コマンドにそれぞれ対応する、表示手段と、
ユーザの前記音声コマンドの発話に応答して、当該音声コマンドに関連付けられた前記コードを実行するコマンド手段と、
を備える、システム。
【請求項９】
請求項８に記載のシステムにおいて、前記表示手段が、さらに、前記キュー・トグルコマンドの前および次のキュー・トグルコマンドの後のうちの少なくとも一方において、前記インターフェースを前記キューなしで表示する、システム。
【請求項１０】
請求項８に記載のシステムにおいて、前記表示手段が、さらに、前記音声コマンドをアクティベートする語を表示する、システム。
【請求項１１】
請求項８に記載のシステムにおいて、前記表示手段が、さらに、前記ユーザインターフェースに表示されているコントロールに関連付けられた音声コマンドに対応するキューを、当該ユーザインターフェースに表示する、システム。
【請求項１２】
請求項８に記載のシステムにおいて、前記表示手段が、さらに、前記ユーザインターフェースから隠れているコントロールに関連付けられた前記音声コマンドに対応する前記キューを、当該ユーザインターフェースに表示する、システム。
【請求項１３】
請求項８に記載のシステムにおいて、前記表示手段が、さらに、グローバルなヘッドセットのコントロールに関連付けられた前記音声コマンドに対応する前記キューを、前記ユーザインターフェースに表示する、システム。
【請求項１４】
請求項８に記載のシステムにおいて、前記キューが、当該キューと前記音声コマンドとを示すコントロールからロードされる、システム。
【請求項１５】
ヘッドセットコンピュータにユーザインターフェースを展開する方法であって、
前記ユーザインターフェース用のコントロールに、キューおよび音声コマンドを埋め込む過程と、
前記コントロールを前記ユーザインターフェースに提供する過程であって、当該ユーザインターフェースは、キュー・トグルコマンドに応答した前記キューを表示する過程と、
を含む、方法。
【請求項１６】
請求項１５に記載の方法において、前記キューが、前記音声コマンドをアクティベートする語を含む、方法。
【請求項１７】
請求項１５に記載の方法において、前記キューが、前記ユーザインターフェースに表示されているコントロールに関連付けられた前記音声コマンドに対応する、方法。
【請求項１８】
請求項１５に記載の方法において、前記キューが、前記ユーザインターフェースから隠れているコントロールに関連付けられた前記音声コマンドに対応する、方法。
【請求項１９】
請求項１５に記載の方法において、前記キューが、グローバルなヘッドセットのコントロールに関連付けられた前記音声コマンドに対応する、方法。
【請求項２０】
請求項１５に記載の方法において、前記キューが、当該キューと前記音声コマンドとを示すコントロールからロードされる、方法。